(57)【要約】【課題】引込分岐端子箱の蓋体を閉止したまま電圧測定が可能であり、引込分岐端子箱からの脱落を効果的に防止することが可能な測定端子を提供する。【解決手段】引込分岐端子箱１００は、電線挿入口１０７が貫通形成された絶縁性のケース１０１と、電線挿入口から挿入された電線を受け入れる電線受入凹所１１３を有するベース導体１１１とを備えている。引込分岐端子箱１００に着脱自在に装着される測定端子１は、先端部にベース導体と導通すると共に電線挿入口から引込分岐端子箱の内部に挿入される被挿入部２０を有した一対の測定端子片１０を備え、両測定端子片が互いに離間した離間姿勢と接近した接近姿勢との間で変位可能となるように基部において開閉自在に結合されており、被挿入部は、引込分岐端子箱の内部に係止される第一係止部２３と第二係止部２５を備えている。【選択図】図３
2017123227.tif 000002
【特許請求の範囲】
【請求項１】
引込分岐端子箱に着脱自在に装着される測定端子であって、
前記引込分岐端子箱は、電線挿入口が貫通形成された絶縁性のケースと、前記ケースの内部に収容されて、前記電線挿入口から挿入された電線を受け入れる電線受入凹所を有するベース導体と、を備え、
前記測定端子は、先端部に前記ベース導体と導通すると共に前記電線挿入口から前記引込分岐端子箱の内部に挿入される被挿入部を有した一対の測定端子片を備え、前記両測定端子片が互いに離間した離間姿勢と接近した接近姿勢との間で変位可能となるように基部において開閉自在に結合されており、
前記被挿入部は、前記引込分岐端子箱の内部に係止される係止部を備えたことを特徴とする測定端子。
【請求項２】
前記電線受入凹所は、電線挿入方向の端部において内面の一部が前記電線受入凹所の内部に突出した凸部と、前記凸部の奥側に形成された段差部と、を有し、
前記被挿入部は前記段差部に係止される第一係止部を備えたことを特徴とする請求項１に記載の測定端子。
【請求項３】
前記被挿入部は、前記電線挿入口の周囲に位置する前記ケースの内面に係止される第二係止部を備えたことを特徴とする請求項１又は２に記載の測定端子。
【請求項４】
前記両測定端子片を構成する材料の有する弾性力により、外力により変位した前記接近姿勢又は前記離間姿勢から、初期姿勢である前記離間姿勢又は前記接近姿勢に復帰することを特徴とする請求項１乃至３の何れか一項に記載の測定端子。
【請求項５】
前記各測定端子片は前記被挿入部よりも前記基部寄りに、前記各測定端子片を接近又は離間させる際に操作する操作部を備えており、
前記各操作部を夫々嵌合させる溝部を備え、前記電線挿入口に嵌合する外形を有した本体部を含む脱落防止部材を備えたことを特徴とする請求項１乃至４の何れか一項に記載の測定端子。
【発明の詳細な説明】
【技術分野】
【０００１】
本発明は、引込分岐端子箱に着脱自在に装着される電圧測定用の測定端子に係り、特に、引込分岐端子箱を開放することなく、内部導体と導通可能であり、且つ、引込分岐端子箱からの脱落を効果的に防止できる測定端子に関する。
【背景技術】
【０００２】
電柱に配電される電力は引込線を介して各需要家に供給される。電力の供給先である需要家が複数ある場合、引込分岐端子箱を用いて１本の低圧引下線を複数の引込線に分岐させる。
引込分岐端子箱は、柱上変圧器からの低圧引下線（一次側電線）と、各需要家に電力を引き込むための引込線（二次側電線）とを電気的に接続することにより、１本の低圧引下線を複数の引込線に分岐する。引込分岐端子箱は、電線（低圧引下線又は引込線）の端部から露出する心線を受け入れる凹所が複数形成されたベース導体と、凹所内に配置された電線の心線をベース導体に対して押圧する押圧部材と、押圧部材をベース導体に対して固定するボルトと、を有している。心線をベース導体と押圧部材との間で挟み、ボルトをベース導体のネジ穴に締結することで電線をベース導体に対して電気的、機械的に固定する。引込分岐端子箱には蓋体が設けられており、通常は充電部が外部に露出しないように蓋体を閉止した状態で使用する。
【０００３】
近年、太陽光発電装置を家屋等に設置し、太陽光発電装置が発電した電力のうちの余剰電力を電力会社に買い取らせる需要家が増えている。売電は、太陽光発電装置に付属するパワーコンディショナの出力電圧が配電線の電圧よりも高い場合（例えば前者が１０７Ｖで後者が１０１Ｖである場合）に可能である。しかし、逆の場合（例えば前者が１０８Ｖで後者が１０７Ｖである場合）はパワーコンディショナの出力抑制制御により売電が停止される。
複数の需要家による使用電力の総量が一時的に低下したり、好天による需要家からの総売電量が増加する等の理由により配電線の電圧が一時的に上昇した場合には、パワーコンディショナの正常動作に基づいて一時的に売電が停止される。しかし、パワーコンディショナが故障した場合や、電力会社からの供給電圧が常態的に高い場合等には、売電できない状態が恒常的に発生する。このような場合には、売電できない原因を探るため、引込分岐端子箱の導体から配電線の電圧を取り出してその電圧変化を一週間程度に亘って測定することが行われる。
【０００４】
従来の電圧測定においては、引込分岐端子箱の蓋体を開放し、ワニ口クリップにてボルトの頭部を挟持していた。この方法によると電圧測定中は充電部が露出した状態となるため、短絡事故や感電事故が発生する虞があった。
上記問題を解決するため特許文献１には、引込分岐端子箱の蓋体を開放することなく、ベース導体に対して電気的に接続することが可能な接続端子が記載されている。接続端子は導電部を有する薄板状の端子本体を備えている。端子本体は、引込分岐端子箱のケース側面に貫通形成された電線挿入口と電線挿入口から引込分岐端子箱内に挿入された電線との間に形成される隙間から、引込分岐端子箱の内部に挿入可能な大きさを有する。引込分岐端子箱の内部に挿入された接続端子の導電部がベース導体に接触することによって、両者が電気的に接続される。
【先行技術文献】
【特許文献】
【０００５】
【特許文献１】特開２０１０−１１８２６０公報
【発明の概要】
【発明が解決しようとする課題】
【０００６】
しかしながら、特許文献１においては、接続端子に対して引き抜き方向の外力が加わった場合の接続端子の脱落を防止することについては考慮されていないため、更なる工夫の余地がある。
本発明は上述の事情に鑑みてなされたものであり、引込分岐端子箱の蓋体を閉止したまま電圧測定が可能であり、引込分岐端子箱からの脱落を効果的に防止することが可能な測定端子を提供することを目的とする。
【課題を解決するための手段】
【０００７】
上記の課題を解決するために、請求項１に記載の発明は、引込分岐端子箱に着脱自在に装着される測定端子であって、前記引込分岐端子箱は、電線挿入口が貫通形成された絶縁性のケースと、前記ケースの内部に収容されて、前記電線挿入口から挿入された電線を受け入れる電線受入凹所を有するベース導体と、を備え、前記測定端子は、先端部に前記ベース導体と導通すると共に前記引込分岐端子箱の内部に挿入される被挿入部を有した一対の測定端子片を備え、前記両測定端子片が互いに離間した離間姿勢と接近した接近姿勢との間で変位可能となるように基部において開閉自在に結合されており、前記被挿入部は、前記引込分岐端子箱の内部に係止される係止部を備えたことを特徴とする。
請求項２に記載の発明は、前記電線受入凹所は、電線挿入方向の端部において内面の一部が前記電線受入凹所の内部に突出した凸部と、前記凸部の奥側に形成された段差部と、を有し、前記被挿入部は前記段差部に係止される第一係止部を備えたことを特徴とする。
【０００８】
請求項３に記載の発明は、前記被挿入部は、前記電線挿入口の周囲に位置する前記ケースの内面に係止される第二係止部を備えたことを特徴とする。
請求項４に記載の発明は、前記両測定端子片を構成する材料の有する弾性力により、外力により変位した前記接近姿勢又は前記離間姿勢から、初期姿勢である前記離間姿勢又は前記接近姿勢に復帰することを特徴とする。
請求項５に記載の発明は、前記各測定端子片は前記被挿入部よりも前記基部寄りに、前記各測定端子片を接近又は離間させる際に操作する操作部を備えており、前記各操作部を夫々嵌合させる溝部を備え、前記電線挿入口に嵌合する外形を有した本体部を含む脱落防止部材を備えたことを特徴とする。
【発明の効果】
【０００９】
本発明によれば、測定端子の被挿入部を電線挿入口から引込分岐端子箱の内部に挿入してベース導体に導通させるので、引込分岐端子箱の蓋体を閉止したまま電圧測定が可能である。また、被挿入部が引込分岐端子箱の内部に係止される係止部を備えたので、電圧測定中における測定端子の引込分岐端子箱からの脱落を効果的に防止することが可能となる。
【図面の簡単な説明】
【００１０】
【図１】蓋体を開放した状態の引込分岐端子箱の上面図である。
【図２】蓋体を閉止した状態の引込分岐端子箱を示す図であり、一部を図１に示すＡ−Ａ断面にて示した側面図である。
【図３】引込分岐端子箱と測定端子との関係を説明する図であり、（ａ）は上面図であり、（ｂ）は部分拡大図である。
【図４】測定端子の斜視図である。
【図５】測定端子を示す上面図であり、（ａ）は離間姿勢を示し、（ｂ）は接近姿勢を示す図である。
【図６】脱落防止部材の斜視図である。
【図７】測定端子の変形例を示す斜視図である。
【図８】（ａ）、（ｂ）は、脱落防止部材の変形例を示す斜視図である。
【発明を実施するための形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１２】
以下、本発明の実施形態を詳細に説明する。
〔引込分岐端子箱〕
本発明に係る測定端子が着脱自在に装着される引込分岐端子箱について説明する。図１は、蓋体を開放した状態の引込分岐端子箱の上面図である。図２は、図１に示す引込分岐端子箱の一部をＡ−Ａ断面にて示した側面図である。図３は、引込分岐端子箱と測定端子との関係を示す図であり、（ａ）は上面図であり、（ｂ）は部分拡大図である。なお、図３においては説明の便宜上、電線２００、押圧部材１２３、ボルトＢ等、一部の部材についての描画を省略している。
なお、以下の説明においては、引込分岐端子箱において電線の並ぶ方向を幅方向とし、幅方向と直交する方向を電線挿入方向とする。また、以下の説明において一次側電線２００Ａと二次側電線２００Ｂとを特に区別しないときは、単に電線２００という。
【００１３】
引込分岐端子箱１００は、低圧引下線（一次側電線２００Ａ）を複数の引込線（二次側電線２００Ｂ）に分岐して、電力を複数の需要家に分配する為に電柱の腕金に取り付けて使用される。
引込分岐端子箱１００は、一面（上面）に開口部を有する略直方体状のケース１０１と、ケース１０１の開口部を閉止する蓋体１０３とを有する。ケース１０１及び蓋体１０３は、樹脂等の絶縁体から形成されている。
蓋体１０３は、ケース１０１の幅方向一端部（図中左側端部）に設けたヒンジ部１０５によって矢印Ｃ方向に開閉自在に軸支持されている。ケース１０１の幅方向に伸びて対向する２つの側面には、電線２００をケース１０１内に挿入する複数（本例では５つ）の電線挿入口１０７が夫々貫通形成されている。
ケース１０１の内部には、電線２００の心線２０１と電気的に接続するベース導体１１１が収容されている。ベース導体１１１は、電線挿入口１０７から挿入された心線２０１を受け入れる複数（本例では５つ）の電線受入凹所１１３と、夫々の電線受入凹所１１３を幅方向に跨ぐ板状のネジ受部１１５を備える。
【００１４】
電線受入凹所１１３は夫々の電線挿入口１０７に対応する位置に形成されており、且つ電線挿入方向（電線挿入口１０７が形成されたケースの側面と直交する方向）に沿って伸びている。１つの電線受入凹所１１３には２つの電線挿入口１０７が対応して設けられている。即ち、１つの電線受入凹所１１３の電線挿入方向の各端部と対向する位置には、夫々電線挿入口１０７が配置されている。夫々の電線受入凹所１１３は仕切壁１１７によって互いに分離されている。
仕切壁１１７の電線挿入方向の両端部は厚肉に形成された厚肉部であり、中間部は薄肉に形成された薄肉部である。仕切壁１１７の薄肉部と厚肉部は湾曲面又は平面によって接続されており、電線受入凹所１１３内には段差部１２１が形成されている。即ち、電線受入凹所１１３は電線挿入方向の両端部において仕切壁１１７（電線受入凹所１１３の内面）の少なくとも一部が電線受入凹所１１３の内部に突出した凸部１１９を備えており、凸部１１９の奥側には段差部１２１が形成されている。
なお、電線受入凹所１１３は、電線受入凹所１１３内に挿入された心線２０１との密着度を高めるために、電線挿入方向の少なくとも一部において、電線挿入方向と直交する方向における断面形状がＶ字状又はＵ字状に形成されている（図２参照）。
【００１５】
ネジ受部１１５は電線挿入方向の中間部に配置されている。ネジ受部１１５は、隣接する仕切壁１１７間に跨がって配置されている。ネジ受部１１５にはネジ穴１１５ａが貫通形成されており、ネジ穴１１５ａには雌ネジが形成されている。
電線受入凹所１１３内に挿入された電線をベース導体１１１に対して電気的に接続すると共に脱落不能に保持する押圧部材１２３について説明する。
押圧部材１２３は、図２に示すように、概略コの字形状（角Ｕ字形状）の部材であり、概略矩形状の接続片１２５と、接続片１２５の対向する２つの辺から同方向に並行して伸びる２つの押圧片１２７、１２７を備える。接続片１２５は、ネジ穴１１５ａと連通する挿通孔１２５ａを備え、ネジ受部１１５に重ねて配置される。押圧片１２７、１２７は、ネジ受部１１５の電線挿入方向両端部の外方から電線受入凹所１１３内に挿入される。
押圧部材１２３の挿通孔１２５ａとネジ受部１１５のネジ穴１１５ａとを連通させた状態にて、両孔にボルトＢの軸部を挿入し、軸部をネジ穴１１５ａに螺着することにより、押圧部材１２３はベース導体１１１に一体化される。なお、ボルトＢの頭部と接続片１２５との間にはスプリングワッシャーを配置してボルトＢの緩みを防止する。また、挿通孔１２５ａから突出したボルトＢの軸部にゴムリングを嵌合させることにより、ボルトＢの押圧部材１２３からの脱落や、接続片１２５とネジ受部１１５との直接接触による損傷の防止等を図る。
なお、一次側電線２００Ａは二次側電線２００Ｂよりも太くて硬いため、一次側電線２００Ａに対応して設けられた電線挿入口１０７、電線受入凹所１１３、ネジ受部１１５、押圧部材１２３及びボルトＢ等の各部は、二次側電線２００Ｂに対応して設けられた各部よりも、サイズが大きく、且つ強固に設計されている。
【００１６】
電線を引込分岐端子箱に固定する方法について説明する。
まず、電線２００の端部の絶縁被覆を剥ぎ取って露出させた心線２０１を電線受入凹所１１３の電線挿入方向一端側に位置する電線挿入口１０７から電線受入凹所１１３内に挿入する。このとき、心線２０１の先端がネジ受部１１５よりも電線挿入方向の下流側、即ち、電線受入凹所１１３の電線挿入方向他端側の電線挿入口１０７寄りに位置するようにする。
続いて、ネジ受部１１５のネジ穴１１５ａと押圧部材１２３の挿通孔１２５ａとを連通させた状態にて、挿通孔１２５ａを介してネジ穴１１５ａにボルトＢの軸部を螺着し、押圧部材１２３をベース導体１１１と一体化させる。ボルトＢを締め付けると、押圧片１２７の先端部１２７ａがベース導体１１１との間で心線２０１を挟圧する。ネジ受部１１５を跨ぐように心線２０１を配置することで、心線２０１は２つの押圧片１２７によって長手方向の２箇所を押圧される。心線２０１は、ベース導体１１１と導通し、且つ引込分岐端子箱１００に固定される。
【００１７】
〔測定端子〕
本発明の一実施形態に係る測定端子について説明する。図４は、測定端子の斜視図である。図５は、測定端子を示す上面図であり、（ａ）は離間姿勢を示し、（ｂ）は接近姿勢を示す図である。
測定端子１は概略ピンセット形状であり、対向して配置された一対の測定端子片１０、１０が基部に設けた結合部１１によって開閉可能に結合された構成を有する。測定端子１の基部からは、測定端子１と記録電圧計とを電気的に接続するリード線１３が引き出されている。
測定端子１は、先端部に引込分岐端子箱１００内に挿入される被挿入部２０を、中間部に測定端子１を開閉操作する操作部１５を、基部に結合部１１を備えている。
【００１８】
測定端子１は、十分な剛性と導電性を有する金属材料から一体的に構成されている。測定端子１は、例えば帯板状の金属板を適宜折り曲げ変形させることにより形成される。２つの測定端子片１０は対称な形状であるが、非対称な形状であってもよい。
被挿入部２０は、金属材料が露出した構成を有し、先端部にベース導体１１１と接触する接触子２１を備えている。電圧測定時には、被挿入部２０が引込分岐端子箱１００内に挿入されるのに対して、操作部１５と結合部１１は引込分岐端子箱１００の外部に露出する露出部である。引込分岐端子箱１００の外部に露出する操作部１５、結合部１１、及びリード線１３は、安全のため絶縁膜により被覆されている。
なお、測定端子１は、操作部１５と結合部１１が絶縁体により構成され、これらが金属材料からなる被挿入部２０に対して接着等により一体化された構成であってもよい。
【００１９】
測定端子１は、２つの測定端子片１０が離間した離間姿勢と、２つの測定端子片１０が接近した接近姿勢との間で変位可能となるように、結合部１１によって結合されている。測定端子１は、材料の有する弾性により、変位した姿勢から変位前の姿勢（初期姿勢）に復帰する。
本例に示す測定端子１は、外力を加えない状態では離間姿勢（初期姿勢）をとる。操作部１５から両測定端子片１０を接近させる方向への外力を加えることにより、測定端子１を接近姿勢（変形姿勢）に変形させることができる。また、外力を取り除いた場合、測定端子１は材料の有する弾性により初期姿勢である離間姿勢に復帰する。
本例に示す操作部１５は、測定端子１が引込分岐端子箱１００に固定された場合に、測定端子片１０の間隔が一定となるように長手方向に沿って略平行に伸びている。操作部１５は、測定端子１の被挿入部２０を引込分岐端子箱１００内に挿入するとき、及び測定端子１の被挿入部２０を引込分岐端子箱１００から抜き出すとき等に把持される。
【００２０】
＜係止部＞
各測定端子片１０は被挿入部２０に、引込分岐端子箱１００内に係止される２つの係止部として第一係止部２３と第二係止部２５を備えている。
第一係止部２３はベース導体１１１の仕切壁１１７に形成された段差部１２１に係止される部位であり、被挿入部２０の先端部に配置されている。
第一係止部２３は、測定端子片１０の夫々の先端が違いに離反する方向に伸びるように、測定端子片１０を屈曲又は湾曲させた形状を有する。本例に示す第一係止部２３は、２つの測定端子片１０の間隔が、基部側から先端にかけて漸増する形状である。即ち、測定端子片１０の先端側の間隔が広く、基部寄りの間隔が徐々に狭くなるように形成されている。
【００２１】
測定端子１が図５（ａ）に示す初期姿勢（離間姿勢）にあるとき、２つの第一係止部２３が形成する間隔（外幅Ｄ１）は、電線受入凹所１１３の凸部１１９間の幅よりも広い。
図５（ｂ）に示すように、操作部１５から２つの測定端子片１０を接近させる外力を加えて測定端子１を接近姿勢に変位させると、２つの第一係止部２３が形成する間隔（外幅Ｄ２）を、電線挿入口１０７の内径と電線受入凹所１１３の凸部１１９間の幅の双方よりも小さくすることができる。この場合、測定端子１の第一係止部２３部分は電線挿入口１０７と電線受入凹所１１３の凸部１１９間の双方を自在に通過できる。
第一係止部２３部分が電線受入凹所１１３内に挿入された後、２つの測定端子片１０から外力を取り除くと、測定端子１は材料の有する弾性力により初期姿勢に変位しようとする。しかし、２つの第一係止部２３が形成する外幅が電線受入凹所１１３の凸部１１９によって規定されるため、測定端子１は離間姿勢を取るが外幅は初期姿勢よりも狭くなる。従って、測定端子１の材料が有する弾性力により、第一係止部２３は電線受入凹所１１３の内面を外方に向けて押し広げるように押圧する。これにより、２つの第一係止部２３は段差部１２１に係止され、測定端子１は引込分岐端子箱１００に脱落不能に保持される。また、測定端子１の材料が有する弾性力により、接触子２１は電線受入凹所１１３の内側面、即ちベース導体１１１に圧接され、ベース導体１１１と導通した状態を維持する。なお、２つの接触子２１は、２つの測定端子片１０の非対向面、即ち外側面においてベース導体１１１と導通する。
【００２２】
このように、第一係止部２３を段差部１２１に係止することにより、測定端子１の引込分岐端子箱１００からの脱落を防止すると共に、ベース導体１１１に対する接触子２１の導通を確保する。
なお、第一係止部２３には、ベース導体１１１に対して磁力により吸着する磁石を内蔵して、接触子２１のベース導体１１１との導通を確保するようにしてもよい。
【００２３】
第二係止部２５は電線挿入口１０７の周囲に位置するケース１０１の内面に係止される部位であり、被挿入部２０の基部側に配置されている。
第二係止部２５は、操作部１５の先端から測定端子片１０を互いに離反する方向に屈曲した段差状に形成されている。第二係止部２５は、少なくとも２つの操作部１５の間隔よりも幅広に形成される。
測定端子１が図５（ａ）に示す初期姿勢（離間姿勢）にあるとき、２つの第二係止部２５が形成する間隔（外幅Ｅ１）は、電線挿入口１０７の内径よりも広い。
図５（ｂ）に示すように、操作部１５から２つの測定端子片１０を接近させる外力を加えて測定端子１を接近姿勢に変位させると、２つの第二係止部２５が形成する間隔（外幅Ｅ２）を電線挿入口１０７の内径よりも小さくすることができる。この場合、測定端子１の第二係止部２５部分は電線挿入口１０７を自在に通過できる。
【００２４】
第二係止部２５部分がケース１０１内に挿入された後、２つの測定端子片１０から外力を取り除くと、測定端子１は材料の有する弾性力により離間姿勢に変位する。このとき、２つの第二係止部２５の間隔（外幅Ｅ２）は電線挿入口１０７の内径よりも広くなる。これにより、２つの第二係止部２５は電線挿入口１０７周囲のケース１０１内面に係止されることとなり、測定端子１は引込分岐端子箱１００に脱落不能に保持される。
このように、第二係止部２５を電線挿入口１０７周囲のケース１０１内面に係止することにより、測定端子１の引込分岐端子箱１００からの脱落を防止する。
【００２５】
＜脱落防止部材＞
引込分岐端子箱１００に装着された測定端子の引込分岐端子箱１００からの脱落を防止する脱落防止部材について説明する。図６は、脱落防止部材の斜視図である。
脱落防止部材３０は電線挿入口１０７に嵌合する外形を有した概略円柱形状の本体部３１と本体部３１の軸方向一端部に配置されて本体部３１の外径方向に突出するフランジ部３３とを備える。脱落防止部材３０は、ゴム等の弾性変形可能、且つ絶縁性の材料から作製される。
脱落防止部材３０は、本体部３１の軸方向に沿って略平行に形成された２つの溝部３５を備えている。溝部３５は、本体部３１とフランジ部３３の双方に亘って形成されている。溝部３５には、図３に示すように、夫々の操作部１５が嵌合する。ここで、本例に示す測定端子１の操作部１５は長手方向に沿って略平行に伸びる形状であり、脱落防止部材３０の溝部３５に操作部１５を嵌合させた状態にて、脱落防止部材３０を操作部１５の長手方向に沿って進退移動させることが可能である（図３中、矢印Ｆ方向）。
【００２６】
フランジ部３３は、本体部３１が電線挿入口１０７に嵌合したときに電線挿入口１０７周囲のケース１０１外面に密着する。フランジ部３３は、脱落防止部材３０を引込分岐端子箱１００から取り外す時に作業員によって把持される。
また、フランジ部３３には紛失防止ワイヤ３７の一端が取り付けられている。紛失防止ワイヤ３７の他端は測定端子１の基部適所、又はリード線１３に取り付けられており、脱落防止部材３０を測定端子１側に保持させることにより、脱落防止部材３０の紛失を防止する。
【００２７】
脱落防止部材３０は、夫々の溝部３５に操作部１５を嵌合させた状態にて、電線挿入口１０７内に挿入して使用される。本体部３１が電線挿入口１０７に挿入された状態において、脱落防止部材３０は測定端子片１０を離間姿勢に維持し、接近姿勢への変位を禁止する。即ち、脱落防止部材３０は、接触子２１がベース導体１１１（電線受入凹所１１３の内側面）に圧接された状態、第一係止部２３が段差部１２１に係止された状態、及び第二係止部２５がケース１０１の内面に係止される状態を維持する。
この状態では、２つの第一係止部２３の外幅を電線受入凹所１１３の凸部１１９間の幅よりも小さくすることができないため、測定端子１を引込分岐端子箱１００から離脱させることはできない。また、２つの第二係止部２５の外幅を電線挿入口１０７の内径よりも小さくすることができないため、測定端子１を引込分岐端子箱１００から離脱させることはできない。従って、脱落防止部材３０は、測定端子片１０の姿勢変位を禁止することにより、測定端子１が引込分岐端子箱１００から脱落することを防止する。
【００２８】
＜使用方法＞
測定端子１の装着方法は以下の通りである。
まず、図５（ａ）に示す離間姿勢（初期姿勢）にある測定端子１の操作部１５に対して圧縮する外力を加えて、図５（ｂ）に示す接近姿勢に変位させる。続いて、測定端子１の被挿入部２０を電線挿入口１０７から引込分岐端子箱１００の内部に挿入する（図３参照）。
被挿入部２０を引込分岐端子箱１００内に挿入する場合、電線が挿通されていない任意の電線挿入口１０７から被挿入部２０を引込分岐端子箱１００内に挿入する。１つの電線受入凹所１１３内に被挿入部２０と電線の双方が存在してもよいが、既に電線挿入方向の一方端から電線受入凹所１１３内に電線が挿入されている場合、被挿入部２０を電線挿入方向の他方端から電線受入凹所１１３内に挿入する。
第一係止部２３が電線受入凹所１１３の段差部１２１に位置し、第二係止部２５がケース１０１の内側面とベース導体１１１との間に位置したとき、操作部１５に加えている外力を取り除いて、測定端子１を離間姿勢に変位させる。すると、測定端子１の材料が有する弾性力により、接触子２１は電線受入凹所１１３の内側面に圧接されてベース導体１１１と導通し、第一係止部２３が段差部１２１に係止される。また、２つの第二係止部２５の外幅が電線挿入口１０７の内径よりも広くなって、両第二係止部２５が電線挿入口１０７周囲のケース１０１内面に係止される。第一係止部２３と第二係止部２５とが引込分岐端子箱１００の内部において係止されることにより、測定端子１に対して引き抜き方向への外力を加えたとしても、測定端子１は引込分岐端子箱１００から脱落しない。
【００２９】
しかし、測定端子１を引込分岐端子箱１００に挿入しただけでは、何らかの要因により測定端子１が接近姿勢に変位した場合には、測定端子１が引込分岐端子箱１００から離脱する虞がある。
そこで、更に、脱落防止部材３０の夫々の溝部３５に操作部１５を嵌合させた状態にて、脱落防止部材３０を測定端子１の長手方向にスライドさせ、本体部３１を電線挿入口１０７に嵌合させる。以上の操作により、測定端子１の接近姿勢への変位が禁止され、測定端子１の引込分岐端子箱１００からの脱落が阻止される。
なお、リード線１３は、必要に応じて引込分岐端子箱１００を固定する腕金に係止するか固定する等して、リード線に無理な力が加わらないようにすることが望ましい。
測定端子１を引込分岐端子箱１００から取り外す場合は、引込分岐端子箱１００の外部に位置する脱落防止部材３０のフランジ部３３を摘んで、脱落防止部材３０を電線挿入口１０７から引き抜く。以降は、装着と逆の手順を踏めばよい。
【００３０】
＜効果＞
以上、本実施形態によれば、引込分岐端子箱１００の電線挿入口１０７から測定端子１をケース１０１内に挿入するので、蓋体１０３を閉止したまま電圧測定が可能である。また、測定端子１が備える第一係止部２３を電線受入凹所１１３に係止すると共に、２つの第二係止部２５間の外幅を電線挿入口１０７の内径よりも広くして第二係止部２５がケース１０１の内面に係止させるようにするので、測定端子１の引込分岐端子箱１００からの脱落を効果的に防止することができる。また、測定端子片１０を嵌合させた脱落防止部材３０を電線挿入口１０７に嵌合させるので、測定端子１の姿勢変位を禁止して、その脱落を防止することができる。また、脱落防止部材３０を電線挿入口１０７に嵌合させることで、引込分岐端子箱１００内の導体の露出を極力防止し、金属片や雨水の進入防止を図ることができる。
【００３１】
なお、本実施形態に示した測定端子１は、材料の有する弾性により変形姿勢から初期姿勢に復帰する構成であるが、測定端子１を変形姿勢から初期姿勢に復帰させるための専用の弾性付勢部材を設けてもよい。
また、測定端子１は、第一係止部２３と第二係止部２５の双方を備えてもよいが、第一係止部２３又は第二係止部２５少なくとも一方を備える構成としてもよい。第一係止部２３を備えない構成とする場合、少なくとも接触子２１が弾性付勢力により電線受入凹所１１３の内面に圧接されるようにする。
【００３２】
＜測定端子の変形例１＞
図７は、測定端子の変形例を示す斜視図である。測定端子２の第二係止部４１は、測定端子片１０から突起状に形成されてもよい。第二係止部４１は、少なくとも２つの操作部１５の間隔よりも幅広に形成される。突起状とする場合の第二係止部４１は、帯板状の金属板を折り返し変形することにより形成してもよいし、測定端子片１０に第二係止部４１を溶接等に一体化した構成としてもよい。
この第二係止部４１は、第一の実施形態と同様に、測定端子２を接近姿勢に変位させた場合には外幅が電線挿入口１０７の内径よりも小さくなって、電線挿入口１０７を自在に通過する。逆に、測定端子２を接近姿勢に変位させた場合には、外幅が電線挿入口１０７の内径よりも大きくなって、電線挿入口１０７の通過が禁止される。
以上の構成によっても、第二係止部４１が電線挿入口１０７周囲のケース１０１内面に係止されるので、測定端子２の脱落が防止される。
【００３３】
＜測定端子の変形例２＞
測定端子の他の変形例について図５を参照して説明する。
測定端子１は、外力を加えない状態（初期姿勢）において接近姿勢をとり、外力を加えることにより、測定端子１を離間姿勢（変形姿勢）に変位させるようにしてもよい。
この場合、測定端子１が初期姿勢にある状態で、第一係止部２３部分を電線受入凹所１１３の凸部１１９間に挿入し、第二係止部２５部分を電線挿入口１０７に挿入する。挿入後、図６に示す脱落防止部材３０の溝部３５に操作部１５を嵌合させることにより測定端子１を離間姿勢に変位させると共に、本体部３１を引込分岐端子箱１００の電線挿入口１０７に嵌合させる。脱落防止部材３０を電線挿入口１０７内に嵌合させることにより、測定端子１は離間姿勢に維持される。また、脱落防止部材３０を嵌合させたときの第一係止部２３の外幅は、電線受入凹所１１３の幅よりも広くなるように設定しておく。これにより、接触子２１は、測定端子片１０の材料の有する弾性により、電線受入凹所１１３の内面に圧接される。また、第一係止部２３が段差部１２１に係止され、第二係止部２５がケース１０１の内面に係止される。
本例によっても、上記実施形態と同様に、蓋体１０３を閉止したまま電圧測定が可能であり、測定端子１の引込分岐端子箱１００からの脱落を効果的に防止することができる。
【００３４】
＜脱落防止部材の変形例＞
図８（ａ）、（ｂ）は、脱落防止部材の変形例を示す斜視図である。
図８（ａ）に示すように脱落防止部材５０は、測定端子１と一体化されていてもよい。脱落防止部材５０は、概略円柱状の本体部５１と、本体部５１の軸方向に沿って貫通形成された２つの挿通穴５３と、本体部５１の軸方向一端部から外径方向に突出するフランジ部５５とを備える。脱落防止部材５０の挿通穴５３には、予め操作部１５が夫々挿通されており、脱落防止部材５０は操作部１５を長手方向に進退する。
また、図８（ｂ）に示すように脱落防止部材６０は、複数の分割片６１、６１から構成されてもよい。即ち、２つの分割片６１は、夫々、半円柱状の本体部６３と、本体部６３の軸方向一端部の湾曲面から外径方向に突出したフランジ部６５を備える。本体部６３の軸方向に伸びる平面部６７には、軸方向に沿って２つの溝部６９が形成されている。２つの溝部６９には、それぞれ操作部１５が嵌合する。２つの分割片６１の平面部６７同士を重ね合わせることにより、図８（ａ）に示した脱落防止部材５０と同様の脱落防止部材が形成される。重ね合わせることにより円柱形状となった２つの本体部６３、６３を電線挿入口１０７に挿入することで、両分割片６１、６１の分離が防止される。各分割片６１のフランジ部６５には、図６に示した脱落防止部材３０と同様に、紛失防止ワイヤ３７が取り付けられる。
本例に示す脱落防止部材５０、６０によれば、挿通穴５３又は溝部６９と操作部１５との間、及び本体部５１、６３と電線挿入口１０７との間に隙間が形成されないため、引込分岐端子箱１００の内部空間と外部空間とが遮断される。従って、引込分岐端子箱１００内の導体の露出、及び金属片や雨水の進入を防止できる。
【００３５】
〔本発明の実施態様例と作用、効果のまとめ〕
＜第一の実施態様＞
本態様は、引込分岐端子箱１００に着脱自在に装着される測定端子１であって、引込分岐端子箱は、電線挿入口１０７が貫通形成された絶縁性のケース１０１と、ケースの内部に収容されて、電線挿入口から挿入された電線を受け入れる電線受入凹所１１３を有するベース導体１１１と、を備え、測定端子は、先端部にベース導体と導通すると共に電線挿入口から引込分岐端子箱の内部に挿入される被挿入部２０を有した一対の測定端子片１０を備え、両測定端子片が互いに離間した離間姿勢と接近した接近姿勢との間で変位可能となるように基部（結合部１１）において開閉自在に結合されており、被挿入部は、引込分岐端子箱の内部に係止される係止部（第一係止部２３、第二係止部２５）を備えたことを特徴とする。
本態様によれば、測定端子の被挿入部を電線挿入口から引込分岐端子箱の内部に挿入してベース導体に導通させるので、引込分岐端子箱の蓋体を閉止したまま電圧測定が可能である。また、被挿入部が引込分岐端子箱の内部に係止される係止部を備えたので、電圧測定中における測定端子の引込分岐端子箱からの脱落を効果的に防止することが可能となる。
【００３６】
＜第二の実施態様＞
本態様において、電線受入凹所１１３は、電線挿入方向の端部において内面の一部が電線受入凹所の内部に突出した凸部１１９と、凸部の奥側に形成された段差部１２１と、を有し、被挿入部２０は段差部に係止される第一係止部２３を備えたことを特徴とする。
本態様において引込分岐端子箱１００の電線受入凹所の幅は、凸部部分において狭く、凸部の奥側において広くなっており、両者の間には段差部が形成されている。測定端子の被挿入部の先端部には、測定端子片を互いに離反する方向に拡開させることにより、段差部に係止可能な第一係止部が形成されている。第一係止部を段差部に係止することにより、電圧測定中における測定端子の引込分岐端子箱からの脱落を効果的に防止することが可能となる。
【００３７】
＜第三の実施態様＞
本態様において、被挿入部２０は、電線挿入口１０７の周囲に位置するケース１０１の内面に係止される第二係止部２５を備えたことを特徴とする。
ここで、第二係止部は、測定端子が離間姿勢となったときに電線挿入口の内径よりも間隔が広くなることで、ケースの内面に係止される状態を実現する。測定端子が離間姿勢にあるとき、第二係止部２５部分は電線挿入口を通過できないので、電圧測定中における測定端子の引込分岐端子箱からの脱落を効果的に防止することが可能となる。
【００３８】
＜第四の実施態様＞
本態様に係る測定端子１は、両測定端子片１０を構成する材料の有する弾性力により、外力により変位した接近姿勢又は離間姿勢から、初期姿勢である離間姿勢又は接近姿勢に復帰することを特徴とする。
測定端子の初期姿勢が離間姿勢であり、外力により変形させた姿勢が接近姿勢である場合、係止部は初期姿勢において引込分岐端子箱１００の内部に係止される。即ち、第一係止部２３は初期姿勢のときに段差部１２１に係止され、測定端子の引込分岐端子箱からの脱落を防止する。また、第二係止部２５は、初期姿勢のときに電線挿入口１０７の周囲に位置するケース１０１の内面に係止され、測定端子の引込分岐端子箱からの脱落を防止する。また、電線受入凹所１１３内に挿入された測定端子の被挿入部は、測定端子が初期姿勢のときに材料の有する弾性力により電線受入凹所の内面を外方に押圧し、測定端子の被挿入部をベース導体１１１に圧接させて、両者の導通を確保する。
本発明においては、初期姿勢と変形姿勢との関係を逆にすることも可能である。即ち、測定端子の初期姿勢を接近姿勢とし、外力により変形させた姿勢を離間姿勢としてもよい。この場合、以下の第五の実施態様に示す脱落防止部材３０を用いることにより、測定端子を変形姿勢である離間姿勢に維持し、第一係止部２３が段差部１２１に係止される状態、第二係止部２５がケース１０１の内面に係止される状態、及び測定端子の被挿入部をベース導体１１１に圧接・導通させる状態を実現することができる。
【００３９】
＜第五の実施態様＞
本態様において、各測定端子片１０は被挿入部２０よりも基部寄りに、各測定端子片を接近又は離間させる際に操作する操作部１５を備えており、各操作部を夫々嵌合させる溝部３５を備え、電線挿入口１０７に嵌合する外形を有した本体部６１を含む脱落防止部材３０を備えたことを特徴とする。
本態様においては、操作部に脱落防止部材の溝部を嵌合させた状態で、更に脱落防止部材の本体部を電線挿入口に嵌合させる。脱落防止部材によって、測定端子の離間姿勢から接近姿勢への変位を禁止し、測定端子が引込分岐端子箱から脱落することを防止する。また、脱落防止部材の本体部を電線挿入口に嵌合させることで、引込分岐端子箱内の導体の露出を防止し、金属片や雨水の進入防止を図ることができる。
【符号の説明】
【００４０】
１、２…測定端子、１０…測定端子片、１１…結合部、１３…リード線、１５…操作部、１７…仕切壁、２０…被挿入部、２１…接触子、２３…第一係止部、２５…第二係止部、３０…脱落防止部材、３１…本体部、３３…フランジ部、３５…溝部、３７…紛失防止ワイヤ、４１…第二係止部、５０…脱落防止部材、５１…本体部、５３…挿通穴、５５…フランジ部、６０…脱落防止部材、６１…分割片、６３…本体部、６５…フランジ部、６７…平面部、６９…溝部、１００…引込分岐端子箱、１０１…ケース、１０３…蓋体、１０５…ヒンジ部、１０７…電線挿入口、１１１…ベース導体、１１３…電線受入凹所、１１５…ネジ受部、１１５ａ…ネジ穴、１１７…仕切壁、１１９…凸部、１２１…段差部、１２３…押圧部材、１２５…接続片、１２５ａ…挿通孔、１２７…押圧片、１２７ａ…先端部、２００…電線、２００Ａ…一次側電線、２００Ｂ…二次側電線、２０１…心線
【図１】
2017123227.tif 000003
【図２】
2017123227.tif 000004
【図３】
2017123227.tif 000005
【図４】
2017123227.tif 000006
【図５】
2017123227.tif 000007
【図６】
2017123227.tif 000008
【図７】
2017123227.tif 000009
【図８】
2017123227.tif 000010